【事件の表示】
　特許第３１１６５８３号「現像剤供給装置」の請求項１ないし４に係る特許に対する特許異議の申立てについて、次のとおり決定する。
【結　論】
　訂正を認める。
　特許第３１１６５８３号の請求項１ないし４に係る特許を維持する。
【理　由】
１．手続の経緯
　特許第3116583号の請求項１ないし４に係る発明についての出願は、平成4年7月17日に特許出願され、平成12年10月6日にその発明についての特許権の設定登録がなされ、その後、その特許について、異議申立人　ミノルタ株式会社より特許異議の申立がなされ、取消の理由が通知され、その指定期間内である平成13年12月20日に特許異議意見書が提出されるとともに、訂正請求がなされたものである。
　
２．訂正の適否についての判断
（１）訂正の内容
［訂正事項ａ］
　特許請求の範囲の請求項１に、
「【請求項１】　
現像剤が収容されるケーシングと、前記ケーシングに着脱可能に取り付けられ、前記現像剤を補給する現像剤カートリッジと、前記ケーシングに設けられ、前記現像剤カートリッジからの前記現像剤の補給を許容するケーシング側開口とを含む現像剤供給装置において、
　前記現像剤カートリッジを、容器状を成し、現像剤を収容する本体と、その本体に設けられ、現像剤の流出を許容するカートリッジ側開口と、そのカートリッジ側開口を閉じる閉位置と、開く開位置とに移動可能に設けられた蓋体とを含むものとし、かつ、前記ケーシングに、前記蓋体の前記カートリッジをケーシングから取り外したときに外面となる部分をケーシング内の現像剤から遮蔽する遮蔽部材を設けたことを特徴とする現像剤供給装置。」
とあるのを、
「【請求項１】　現像剤が収容されるケーシングと、
　前記ケーシングに着脱可能に取り付けられ、前記現像剤を補給する現像剤カートリッジと、前記ケーシングに設けられ、前記現像剤カートリッジからの前記現像剤の補給を許容するケーシング側開口とを含む現像剤供給装置において、
　前記現像剤カートリッジを、容器状を成し、現像剤を収容する本体と、その本体に設けられ、現像剤の流出を許容するカートリッジ側開口と、そのカートリッジ側開口を閉じる閉位置と、開く開位置とに、本体に対して回転又は回動移動可能に設けられた蓋体とを含むものとし、かつ、前記ケーシングに、前記蓋体の前記カートリッジをケーシングから取り外したときに外面となる部分をケーシング内の現像剤から遮蔽する遮蔽部材を設けたことを特徴とする現像剤供給装置。」
と訂正する。
　
［訂正事項ｂ］
　明細書の段落【0005】を、
「【課題を解決するための手段】
　請求項１の発明の要旨は、上記の課題を解決するために、前記（ａ）ケーシング，（ｂ）現像剤カートリッジおよび（ｃ）ケーシング側開口を含む現像剤供給装置の現像剤カートリッジを、（ア）容器状を成し、現像剤を収容する本体と、（イ）その本体に設けられ、現像剤の流出を許容するカートリッジ側開口と、（ウ）そのカートリッジ側開口を閉じる閉位置と、開く開位置とに、本体に対して回転又は回動移動可能に設けられた蓋体とを含むものとし、かつ、ケーシングに、蓋体のカートリッジをケーシングから取り外したときに外面となる部分をケーシング内の現像剤から遮蔽する遮蔽部材を設けたことにある。
　請求項２の発明に係る現像剤供給装置においては、上記遮蔽部材が、カートリッジ側開口の開閉時に、蓋体の上記外面となる部分に密着し、蓋体と共に移動する部材とされる。
　請求項３の発明に係る現像剤供給装置においては、蓋体が半円筒状を成し、その半円筒の中心を回転軸線として回転させられることにより閉位置と開位置とに移動するものとされ、かつ、開位置においてカートリッジ側開口とケーシング側開口とを連通させる通路を内部に有するものとされる。
　請求項４の発明に係る現像剤供給装置においては、遮蔽部材が蓋体と同じ半径の半円筒状を成し、ケーシングに回転可能に支持される。」
と訂正する。
　
［訂正事項ｃ］
　明細書の段落【0006】を、
「【作用】
　請求項１の発明に係る現像剤供給装置においては、現像剤カートリッジがケーシングに取り付けられ、蓋体が開位置に、本体に対して回転又は回動移動させられることにより、現像剤がケーシングに供給される。ケーシングには、蓋体の現像剤カートリッジをケーシングから取り外したときに外面となる部分をケーシング内の現像剤から遮蔽する遮蔽部材が設けられており、上記外面にケーシング内の現像剤が付着することが防止される。
　請求項２の発明に係る現像剤供給装置においては、蓋体が開位置と閉位置とに移動させられるとき、蓋体のカートリッジをケーシングから取り外したときに外面となる部分に遮蔽部材が密着させられているため、その部分は、カートリッジ側開口が開かれた状態においてのみならず、カートリッジ側開口の開閉時にも遮蔽部材によって覆われていることなり、現像剤の付着することは殆どない。
　請求項３の発明に係る現像剤供給装置においては、カートリッジ側開口を開閉する際には、蓋体が開位置と閉位置とに回転させられ、開位置において蓋体の内部に形成された通路によってカートリッジ側開口とケーシング側開口とが連通させられることにより、現像剤は蓋体内部を通って供給される。
　請求項４の発明に係る現像剤供給装置においては、それぞれ半円筒状を成す遮蔽部材と蓋体とは、その平坦な端面において互に密着させられて円筒を構成し、少なくとも一方を回転させることにより両方が回転させられ、カートリッジ側開口が開閉させられる。」
と訂正する。
　
（２）訂正の目的の適否、新規事項の有無及び拡張・変更の存否
　訂正事項ａについては、蓋体の移動方向を「本体に対して回転又は回動」方向に限定したものであって、特許請求の範囲の減縮を目的とするものであり、この点は明細書の段落【0026〜0027】、【0059〜0060】に記載されているから、新規事項の追加には該当しない。
　訂正事項ｂ及び訂正事項ｃは、特許請求の範囲の訂正に伴って発明の詳細な説明の【課題を解決するための手段】及び【作用】の記載をそれに整合させるものであり、明りょうでない記載の釈明を目的とするものである。
　そして、訂正事項ａ、訂正事項ｂ、訂正事項ｃはいずれも特許請求の範囲を実質的に拡張したり変更するものではない。
　
（３）むすび
　以上のとおりであるから、上記訂正は、平成６年改正法附則第6条第1項の規定によりなお従前の例によるとされる、特許法第120条の4第3項において準用する平成６年改正法による改正前の特許法第126条第1項ただし書き、及び第2項の規定に適合するので、当該訂正を認める。
　
３．特許異議申立について
（１）本件発明
　上記２．で示したように上記訂正が認められるから、本件の請求項１ないし４に係る発明は、上記訂正に係る訂正明細書の特許請求の範囲の請求項１ないし４に記載された次のとおりのものである。以下、それぞれ「本件発明１」、「本件発明２」、「本件発明３」、「本件発明４」という。
【請求項１】　現像剤が収容されるケーシングと、
　前記ケーシングに着脱可能に取り付けられ、前記現像剤を補給する現像剤カートリッジと、前記ケーシングに設けられ、前記現像剤カートリッジからの前記現像剤の補給を許容するケーシング側開口とを含む現像剤供給装置において、
　前記現像剤カートリッジを、容器状を成し、現像剤を収容する本体と、その本体に設けられ、現像剤の流出を許容するカートリッジ側開口と、そのカートリッジ側開口を閉じる閉位置と、開く開位置とに
、本体に対して回転又は回動
【請求項２】　前記遮蔽部材が、前記カートリッジ側開口の開閉時に、前記蓋体の前記外面となる部分に密着し、蓋体と共に移動する部材である請求項１に記載の現像剤供給装置。
【請求項３】　前記蓋体が半円筒状を成し、その半円筒の中心を回転軸線として回転させられることにより閉位置と開位置とに移動するものであり、かつ、前記開位置において前記カートリッジ側開口と前記ケーシング側開口とを連通させる通路を内部に有するものである請求項１または２に記載の現像剤供給装置。
【請求項４】　前記遮蔽部材が前記蓋体と同じ半径の半円筒状を成し、前記ケーシングに回転可能に支持されている請求項３に記載の現像剤供給装置。
　
（２）申立の理由の概要
　本件発明１は、甲第１号証（特開昭60−198567号公報）、甲第２号証（特開昭60−257466号公報）又は甲第３号証（実願昭49−63736号（実開昭50−151643号）のマイクロフィルム）記載の発明であるか、又は甲第１号証乃至甲第３号証記載の発明に基づいて当業者が容易に発明をすることができたものであるから、特許法第29条第1項又は第2項の規定により、特許を受けることができない。
　本件発明２は、甲第１号証又は甲第２号証記載の発明であるか、又は甲第１号証及び甲第２号証記載の発明に基づいて当業者が容易に発明をすることができたものであるから、特許法第29条第1項又は第2項の規定により、特許を受けることができない。
　本件発明３及び４は、甲第１号証乃至甲第３号証及び甲第４号証（実願昭56−89335号（実開昭57−201559号）のマイクロフィルム）記載の発明に基づいて当業者が容易に発明をすることができたものであるから、特許法第29条第1項又は第2項の規定により、特許を受けることができない。
　
　なお、当審の取消理由通知書においては、訂正前の請求項１および請求２にかかる発明に対して、証拠としてそれぞれ甲第１号証、甲第２号証、甲第３号証に対応する刊行物１、刊行物２、刊行物３を挙げ、それらの刊行物記載の発明に基づいて容易に発明をすることができた旨通知し、請求項３および４については取消し理由を通知していない。
　
（３）引用刊行物記載の発明
［刊行物１（特開昭60−198567号公報）記載の発明］
ａ．一般に粉像転写型の電子写真複写機において、トナーは複写ごとに消費されていくため、現像槽の上部に設置したトナータンクから新たなトナーを消費量に見合った量だけ現像槽に自動的に補給する様に構成されている。（第1頁右下欄第12行〜第16行参照）。
ｂ．カートリッジ（1）は箱状のカートリッジ本体（2）の底部開口に板状の蓋（10）をスライド可能に設けたもので、内部には所定量のトナーが収容されている。（第2頁右上欄第18行〜左下欄第1行参照）
ｃ．トナータンク（20）は複写機内の現像槽（図示せず）の上部に設置したもので、上部開口には板状の蓋（30）がスライド可能に取付けられている。（第2頁右下欄第19行〜第3頁左上欄第1行参照）
ｄ．そして、蓋（10），（30）の引出しに従ってカートリッジ（1）内のトナーが後部からトナータンク（20）内に落下していく。このとき、蓋（10），（30）が少なくとも切欠き（16），（23）の巾寸法だけ引出された後は、爪（29）がガイド溝（14）に、爪（13）がガイド溝（22）に係合し、カートリッジ（1）自体が上方に外れることが防止される。蓋（10），（30）を完全に解放位置まで引出すと、蓋（10）の後部リブ（15ｂ）（第４図参照）がガイド板（27）の爪（29）に当接し、それ以上の引出しが阻止される。これにてトナーがトナータンク（20）内に補充され、蓋（10）を矢印（Ａ）とは逆方向に押込むと、蓋（10），（30）が一体に後方にスライドし、クリックバネ（32）が凹部（25）に係合することによって蓋（30）がトナータンク（20）の上部開口を完全に閉止すると共に、（10）がカートリッジ本体（2）の低部開口を完全に閉止する。これにて初期のセット状態に戻り、カートリッジ（1）を上方に取り外せば作業は終了する。（第4頁左上欄第17行〜右上欄第17行参照）
ｅ．以上の説明で明らかな様に、本発明は、カートリッジをトナータンク上に載置したとき、カートリッジ蓋部材とタンク蓋部材とをスライド方向に係合させる係合部、このとき同時に係合しかつカートリッジ蓋部材をスライド方向に案内し上方への離脱を防止するガイド部材等を設けたため、カートリッジの蓋部材とトナータンクの蓋部材とを常に一体的にスライドして開閉可能とし、補充中にはカートリッジをトナータンク上からは取り外することができず、トナーの漏れ、粉塵の発生を確実に防止することができる。（第5頁右上欄第9行〜同19欄第行参照）
　
［刊行物２（特開昭60−257466号公報）記載の発明］
ａ．また、トナー補給槽（20）の上部にはトナー補充用のカートリッジ（28）が着脱自在に装着されている。カートリッジ（28）内に予め収容されているトナーは、カートリッジ蓋（29）をトナー補給槽蓋（27）と一体に引き出すことにより、収容部（21）内に補充される。（第3頁右下欄第1行〜第6行参照）
　
［刊行物３（実願昭49−63736号（実開昭50−151643号）のマイクロフィルム）記載の発明］
　まず、トナータンク1の外蓋5を開いて、カートリッジ18のスライド蓋23に設けた舌片25と係止ピン22とをそれぞれトナータンク1の係止片9に設けた孔10と突片15の凹所16に嵌合する。ついで、カートリッジ本体19のガイドレール部21,21を上記トナータンク本体2のガイド溝12内に嵌合して図上右方へ押し進める。上記のようにスライド蓋23はトナータンク本体2に係止しているため、カートリッジ18の開口部20は徐々に広がる。これと同時に上記カートリッジ本体19の移動によってトナータンク1のスライド蓋14も右進して開口部4を大ならしめるため、カートリッジ18内のトナーＴはトナータンク1内に落下することになる。トナー補給が終了すると、上記とは逆にカートリッジ本体19を左進すると、カートリッジ本体19はスライド蓋14と係止しているため、カートリッジ18およびトナータンク1の開口部20,4は同時に閉鎖される。（マイクロフィルム第5頁第2行〜第6頁第1行）
　
［甲第４号証］（実願昭56−89335号（実開昭57−201559号）のマイクロフィルム）
ａ．補給現像剤収納容器(1)は、その内部に補給現像剤(De)を収納している一方、現像剤通過用の開口(1a)を有している。この開口(1a)は通常、プラスチックシート等によって閉成されており、・・・現像剤補給の際に先立ち、前記プラスチックシート等を取り外すことにより開放されるものである。（マイクロフィルム第4頁第10行〜第18行）
ｂ．まず、容器受け皿(2)が容器装着位置にある第１図に示される状態において、補給現像剤収納容器(1)を矢印(a)方向に移動させ、容器受け皿(2)上に載置する。詳しくは、前記容器(1)の現像剤通過用の開口(1a)と回転円筒(20)の現像剤通過用の開口(20a)とを合致させると共に、容器固定スプリング(3)、(3')の付勢力によって前記容器(1)の開口部を前記開口(20a)中に嵌入させる。すると、前記容器(1)は、容器受け皿(2)に対してしっかりと固定されることになる。なお、この操作に際し、前記容器(1)の前記開口(1a)は常時上方を向いた状態を維持され得るので、本実施例の如く、現像剤補給に先立ち前記開口(1a)が開放されていても容器(1)内に収納されている補給現像剤(De)は容器(1)の外部へと漏出される虞はない。また、この状態において回転円筒(20)の現像剤通過用の開口(20a)と固定円筒(5)の現像剤通過用の開口(5a)とは合致しておらず、前記容器(1)の現像剤通過用の開口(1a)は固定円筒(5)によって閉成されている。引続き、前記容器受け皿(2)を矢印(c)方向へと略1200回動させ、前記容器受け皿(2)を現像剤補給位置へと移動させる。すると、回転円筒(20)の現像剤通過用の開口(20a)、(20b)と固定円筒(5)の現像剤通過用の開口(5a)、(5b)とが各々合致し、その結果、前記容器(1)の現像剤通過用の開口(1a)が開放され、かつ、この開口(1a)と現像装置のケーシング(9)に設けられている補給現像剤受け入れ用開口(9a)とが導通される。このため、前記容器(1)内に収納されていた補給現像剤(De)は自重にて下方へと落下し、現像装置の内部に補給される。（マイクロフィルム第8頁第13行〜第10頁第2行）
　
（４）対比・判断
［本件発明１］
　本件発明１を刊行物１記載の発明と対比すると、両者間には次のような一致点、相違点がある。
（一致点）
　現像剤が収容されるケーシングと、前記ケーシングに着脱可能に取り付けられ、前記現像剤を補給する現像剤カートリッジと、前記ケーシングに設けられ、前記現像剤カートリッジからの前記現像剤の補給を許容するケーシング側開口とを含む現像剤供給装置において、前記現像剤カートリッジを、容器状を成し、現像剤を収容する本体と、その本体に設けられ、現像剤の流出を許容するカートリッジ側開口と、そのカートリッジ側開口を閉じる閉位置と、開く開位置とに移動可能に設けられた蓋体とを含むものとし、かつ、前記ケーシングに、前記蓋体の前記カートリッジをケーシングから取り外したときに外面となる部分をケーシング内の現像剤から遮蔽する遮蔽部材を設けた現像剤供給装置。
（相違点）
　現像剤カートリッジの本体に設けられた蓋体が、本件発明１は本体に対して回転又は回動移動可能に設けられているのに対して、刊行物１記載の発明は本体に対して直線方向に摺動可能に設けられている点
（相違点の検討）
　この相違点に関しては刊行物２や刊行物３にも記載されていないし、示唆もされていない。
　なお、取り消し理由通知では挙げていないが、異議申立人が証拠方法として挙げた甲第４号証に記載されている発明において、現像剤カートリッジの蓋は開口部に接着されたプラスチックシートであり、本体に対して回転又は回動移動可能に設けられている蓋については記載もされていないし、示唆もされていない。
　したがって、本件発明１は、刊行物１ないし３に基づいてはもちろんのこと、更に甲第４号証記載の発明を組み合わせたとしても当業者が容易に発明をすることができたものとすることはできない。
　
［本件発明２］
　本件発明２は本件発明１の遮蔽部材と蓋体との関係を限定したものであるが、本件発明１の蓋体をそのまま具備するものであり、遮蔽部材と蓋体との関係について検討するまでもなく本件発明１の対比において述べたと同様の理由で本件発明２も、刊行物１ないし３や甲第４号証記載の発明に基づいて当業者が容易に発明をすることができたものとすることはできない。
　
［本件発明３］
　本件発明３は本件発明１の蓋の形状や蓋が内部通路を具備する点を限定したものであるが、その蓋体が本体に対して回転又は回動移動可能に設けられている点で本件発明の蓋体をそのまま具備するものであり、本件発明１の対比において述べたと同様の理由で本件発明３も、刊行物１ないし３や甲第４号証記載の発明に基づいて当業者が容易に発明をすることができたものとすることはできない。
　
［本件発明４］
　本件発明４は本件発明３の遮蔽部材の形状と支持について限定したものであるが、遮蔽部材が半円筒状をなし、ケーシーングに回転可能に支持されている点について刊行物１ないし３や甲第４号証に記載されていないし、示唆もされていないから、本件発明４が刊行物１ないし３や甲第４号証記載の発明に基づいて当業者が容易に発明をすることができたものとすることはできない。
　
（５）むすび
　以上のとおりであるから、特許異議申立ての理由及び証拠によっては、本件発明１ないし４についての特許を取り消すことができない。
　また、他に本件発明１ないし４についての特許を取り消すべき理由を発見しない。
　よって、平成６年改正法附則第14条の規定に基づく、平成６年改正法の施行に伴う経過措置を定める政令（平成7年政令第205号）第4条第2項の規定により、結論のとおり決定する。
【異議決定日】
平成１４年１月２５日（２００２．１．２５）
【訂正の要旨】
１．訂正事項ａ
　特許請求の範囲の請求１に、
「【請求項１】
現像剤が収容されるケーシングと、前記ケーシングに着脱可能に取り付けられ、前記現像剤を補給する現像剤カートリッジと、前記ケーシングに設けられ、前記現像剤カートリッジからの前記現像剤の補給を許容するケーシング側開口とを含む現像剤供給装置において、
　前記現像剤カートリッジを、容器状を成し、現像剤を収容する本体と、その本体に設けられ、現像剤の流出を許容するカートリッジ側開口と、そのカートリッジ側開口を閉じる閉位置と、開く開位置とに移動可能に設けられた蓋体とを含むものとし、かつ、前記ケーシングに、前記蓋体の前記カートリッジをケーシングから取り外したときに外面となる部分をケーシング内の現像剤から遮蔽する遮蔽部材を設けたことを特徴とする現像剤供給装置。」
とあるのを、特許請求の範囲の減縮を目的として、
「【請求項１】　現像剤が収容されるケーシングと、
　前記ケーシングに着脱可能に取り付けられ、前記現像剤を補給する現像剤カートリッジと、前記ケーシングに設けられ、前記現像剤カートリッジからの前記現像剤の補給を許容するケーシング側開口とを含む現像剤供給装置において、
　前記現像剤カートリッジを、容器状を成し、現像剤を収容する本体と、その本体に設けられ、現像剤の流出を許容するカートリッジ側開口と、そのカートリッジ側開口を閉じる閉位置と、開く開位置とに
、本体に対して回転又は回動
と訂正する。
２．訂正事項ｂ
　明細書の段落【０００５】を、明りょうでない記載の釈明を目的として、
「【課題を解決するための手段】
　請求項１の発明の要旨は、上記の課題を解決するために、前記（ａ）ケーシング，（ｂ）現像剤カートリッジおよび（ｃ）ケーシング側開口を含む現像剤供給装置の現像剤カートリッジを、（ア）容器状を成し、現像剤を収容する本体と、（イ）その本体に設けられ、現像剤の流出を許容するカートリッジ側開口と、（ウ）そのカートリッジ側開口を閉じる閉位置と、開く開位置とに
、本体に対して回転又は回動
　請求項２の発明に係る現像剤供給装置においては、上記遮蔽部材が、カートリッジ側開口の開閉時に、蓋体の上記外面となる部分に密着し、蓋体と共に移動する部材とされる。
　請求項３の発明に係る現像剤供給装置においては、蓋体が半円筒状を成し、その半円筒の中心を回転軸線として回転させられることにより閉位置と開位置とに移動するものとされ、かつ、開位置においてカートリッジ側開口とケーシング側開口とを連通させる通路を内部に有するものとされる。
　請求項４の発明に係る現像剤供給装置においては、遮蔽部材が蓋体と同じ半径の半円筒状を成し、ケーシングに回転可能に支持される。」
と訂正する。
３．訂正事項ｃ
　明細書の段落【０００６】を、明りょうでない記載の釈明を目的として、
「【作用】
　請求項１の発明に係る現像剤供給装置においては、現像剤カートリッジがケーシングに取り付けられ、蓋体が開位置に
、本体に対して回転又は回動
　請求項２の発明に係る現像剤供給装置においては、蓋体が開位置と閉位置とに移動させられるとき、蓋体のカートリッジをケーシングから取り外したときに外面となる部分に遮蔽部材が密着させられているため、その部分は、カートリッジ側開口が開かれた状態においてのみならず、カートリッジ側開口の開閉時にも遮蔽部材によって覆われていることなり、現像剤の付着することは殆どない。
　請求項３の発明に係る現像剤供給装置においては、カートリッジ側開口を開閉する際には、蓋体が開位置と閉位置とに回転させられ、開位置において蓋体の内部に形成された通路によってカートリッジ側開口とケーシング側開口とが連通させられることにより、現像剤は蓋体内部を通って供給される。
　請求項４の発明に係る現像剤供給装置においては、それぞれ半円筒状を成す遮蔽部材と蓋体とは、その平坦な端面において互に密着させられて円筒を構成し、少なくとも一方を回転させることにより両方が回転させられ、カートリッジ側開口が開閉させられる。」
と訂正する。
（５４）【発明の名称】
現像剤供給装置
（５７）【特許請求の範囲】
　【請求項１】　現像剤が収容されるケーシングと、
　前記ケーシングに着脱可能に取り付けられ、前記現像剤を補給する現像剤カートリッジと、
　前記ケーシングに設けられ、前記現像剤カートリッジからの前記現像剤の補給を許容するケーシング側開口とを含む現像剤供給装置において、
　前記現像剤カートリッジを、容器状を成し、現像剤を収容する本体と、その本体に設けられ、現像剤の流出を許容するカートリッジ側開口と、そのカートリッジ側開口を閉じる閉位置と、開く開位置とに
、本体に対して回転又は回動
　【請求項２】　前記遮蔽部材が、前記カートリッジ側開口の開閉時に、前記蓋体の前記外面となる部分に密着し、蓋体と共に移動する部材である請求項１に記載の現像剤供給装置。
　【請求項３】　前記蓋体が半円筒状を成し、その半円筒の中心を回転軸線として回転させられることにより閉位置と開位置とに移動するものであり、かつ、前記開位置において前記カートリッジ側開口と前記ケーシング側開口とを連通させる通路を内部に有するものである請求項１または２に記載の現像剤供給装置。
　【請求項４】　前記遮蔽部材が前記蓋体と同じ半径の半円筒状を成し、前記ケーシングに回転可能に支持されている請求項３に記載の現像剤供給装置。
【発明の詳細な説明】
　【０００１】
　【産業上の利用分野】
　本発明は現像剤供給装置に関するものであり、特に、着脱可能な現像剤カートリッジを備えた現像剤供給装置に関するものである。
　【０００２】
　【従来の技術】
　現像剤供給装置は、例えば、電子写真式記録装置において感光ドラムに形成された静電潜像を現像する現像装置への現像剤の供給に用いられる。現像剤供給装置において現像剤はケーシングに収容されて供給されるのであるが、供給に伴って減少する現像剤を補給するために、従来、現像剤カートリッジが用いられている。現像剤カートリッジ内には現像剤が収容されてケーシングに着脱可能に取り付けられ、ケーシングに設けられたケーシング側開口を経てケーシングに現像剤が補給されるのである。このように現像剤カートリッジに現像剤を収容して補給するようにすれば、現像剤をケーシングに直接入れる場合のように現像剤が飛散することがなく、作業者の手，記録用紙，周辺装置や空気を汚したり、装置の故障を引き起こすことがない。
　【０００３】
　このような現像剤カートリッジには、円筒状部材に長手方向に延びる開口が形成されるとともに、その開口を開閉するシャッタが円筒状部材の外周面に沿って回動可能に取り付けられたものがある。現像剤カートリッジのケーシングヘの取付け時には開口はシャッタによって閉じられており、ケーシングヘの取付け後、開かれて現像剤が供給される状態とされるのであり、現像剤カートリッジのケーシングからの取外しは開口が閉じられた後、行われる。
　【０００４】
　【発明が解決しようとする課題】
　この種の現像剤カートリッジにおいては、ケーシング内の現像剤が全部使われた状態で現像剤カートリッジの着脱が行われる場合には、シャッタが閉じられる際にその外面に現像剤が付着することはないのであるが、ケーシング内に現像剤が残っている状態で閉じられる場合にはシャッタが現像剤をかき分けつつ移動してカートリッジ側開口を閉じることになり、シャッタの外面に現像剤が付着する。そのため、現像剤カートリッジを取り外す際にシャッタに付着した現像剤が飛散したり、作業者の手や記録用紙等を汚す問題があった。
　請求項１ないし４の発明はそれぞれ、現像剤カートリッジの外面への現像剤の付着を可及的に回避し得る現像剤供給装置を提供することを課題として為されたものである。
　【０００５】
　【課題を解決するための手段】
　請求項１の発明の要旨は、上記の課題を解決するために、前記（ａ）ケーシング，（ｂ）現像剤カートリッジおよび（ｃ）ケーシング側開口を含む現像剤供給装置の現像剤カートリッジを、（ア）容器状を成し、現像剤を収容する本体と、（イ）その本体に設けられ、現像剤の流出を許容するカートリッジ側開口と、（ウ）そのカートリッジ側開口を閉じる閉位置と、開く開位置とに
、本体に対して回転又は回動
　請求項２の発明に係る現像剤供給装置においては、上記遮蔽部材が、カートリッジ側開口の開閉時に、蓋体の上記外面となる部分に密着し、蓋体と共に移動する部材とされる。
　請求項３の発明に係る現像剤供給装置においては、蓋体が半円筒状を成し、その半円筒の中心を回転軸線として回転させられることにより閉位置と開位置とに移動するものとされ、かつ、開位置においてカートリッジ側開口とケーシング側開口とを連通させる通路を内部に有するものとされる。
　請求項４の発明に係る現像剤供給装置においては、遮蔽部材が蓋体と同じ半径の半円筒状を成し、ケーシングに回転可能に支持される。
　【０００６】
　【作用】
　請求項１の発明に係る現像剤供給装置においては、現像剤カートリッジがケーシングに取り付けられ、蓋体が開位置に
、本体に対して回転又は回動
　請求項２の発明に係る現像剤供給装置においては、蓋体が開位置と閉位置とに移動させられるとき、蓋体のカートリッジをケーシングから取り外したときに外面となる部分に遮蔽部材が密着させられているため、その部分は、カートリッジ側開口が開かれた状態においてのみならず、カートリッジ側開口の開閉時にも遮蔽部材によって覆われていることなり、現像剤の付着することは殆どない。
　請求項３の発明に係る現像剤供給装置においては、カートリッジ側開口を開閉する際には、蓋体が開位置と閉位置とに回転させられ、開位置において蓋体の内部に形成された通路によってカートリッジ側開口とケーシング側開口とが連通させられることにより、現像剤は蓋体内部を通って供給される。
　請求項４の発明に係る現像剤供給装置においては、それぞれ半円筒状を成す遮蔽部材と蓋体とは、その平坦な端面において互に密着させられて円筒を構成し、少なくとも一方を回転させることにより両方が回転させられ、カートリッジ側開口が開閉させられる。
　【０００７】
　【発明の効果】
　請求項１の発明においては、蓋体のカートリッジをケーシングから取り外したときに外面となる部分が、遮蔽部材によってケーシング内の現像剤から遮蔽され、現像剤が付着しないようにされているため、現像剤カートリッジの着脱に伴うトナーの飛散が生ずることは殆どなく、作業者の手や記録用紙等を汚すことがなく、良好に着脱を行うことができる。蓋体の上記外面が常時遮蔽部材によってケーシング内の現像剤から遮蔽されているのであれば、現像剤が付着しないことは勿論、少なくとも蓋体の外面に現像剤が付着し易い時期に遮蔽されていれば現像剤が付着することは殆どない。
　請求項２の発明においては、蓋体の外面はカートリッジ側開口を開いた状態においてのみならず、開位置と閉位置との間の移動時にも遮蔽部材によって遮蔽されているため、ケーシング内に現像剤が残っていても付着することはなく、現像剤の飛散は生ぜず、極めて良好に現像剤カートリッジの着脱を行うことができる。
　請求項３の発明においては、請求項１および２の発明の効果に加えて、蓋体が半円筒状を成し、その半円筒の中心を中心線とする円筒状のスペース内で移動することとなるため、移動スペースが少なくて済み、しかも、通路が蓋体内部に形成されており、蓋体外部に通路を設ける必要がなく、装置をコンパクトに構成することができる。
　請求項４の発明においては、請求項３の発明の効果に加えて、遮蔽部材が蓋体と同じ半径の半円筒状を成すため、移動スペースが遮蔽部材および蓋体によって形成される円筒状となって少なくて済み、装置をコンパクトに構成することができる。また、蓋体および遮蔽部材の各外周面を被支持面として円筒面で受けることができ、それら蓋体および遮蔽部材にそれぞれ専用被支持部を設けて支持する場合に比較して容易に支持することができる。
　【０００８】
　【実施例】
　以下、本発明を電子写真式記録装置の現像装置に粉体の現像剤を供給する装置に適用した場合の実施例を図面に基づいて詳細に説明する。図１０において１０は装置本体である。装置本体１０は、容器状の固定ハウジング１２と、固定ハウジング１２に軸１４により回動可能に取り付けられ、固定ハウジング１２の開口を塞ぐ可動ハウジング１６とから成る。固定ハウジング１２には、自動給紙装置２０，手差し給紙台２２，転写装置２４および定着装置２６が設けられ、可動ハウジング１６には露光装置２８，現像装置３０，現像剤供給装置３１，クリーニング装置３２および排紙トレイ３４が設けられている。以下、各装置について説明する。
　【０００９】
　記録媒体としての用紙３６を自動給紙装置２０によって供給する場合には、用紙３６は用紙カートリッジ３８に収容され、固定ハウジング１２の底部にセットされる。自動給紙装置２０は送り出しローラ４０を備えており、用紙カートリッジ３８内の用紙３６は送り出しローラ４０によって１枚ずつ送り出される。送り出し後、用紙３６は、一対ずつの送りローラ４２およびガイド４４により一対のレジストローラ４６に送られて姿勢を矯正される。レジストローラ４６は常には停止しており、上流側の用紙検出センサ４８による用紙３６の検出から一定微小時間経過後に回転を開始し、姿勢を矯正する。矯正後、用紙３６は一対のガイド５０に案内されて感光ドラム５６と転写装置２４との間に送られ、画像が転写される。
　【００１０】
　また、手差し給紙台２２は固定ハウジング１２の開口縁に設けられており、作業者が用紙３６を１枚ずつ手差し給紙台２２に載せる。載せられた用紙３６は、ガイド５８および一対の送りローラ６０により、用紙検出センサ４８を経てレジストローラ４６に送られる。
　【００１１】
　感光ドラム５６は、固定ハウジング１２に回転可能に支持されており、露光装置２８により露光されて静電潜像が形成される。露光装置２８は、予め作成された記録データに従ってレーザ光を発射するレーザおよびそのレーザ光を反射するポリゴンミラー等を有するレーザ光発射部６２と、レーザ光発射部６２から発射されたレーザ光を反射して感光ドラム５６に照射するミラー６４とを有しており、感光ドラム５６は１ライン分ずつ順次露光され、静電潜像が形成される。感光ドラム５６に形成された静電潜像は、現像装置３０により現像剤としてのトナーが付着させられて現像された後、転写装置２４によって用紙３６に転写される。なお、用紙３６に転写されないで感光ドラム５６上に残ったトナーは、クリーニング装置３２によって除去される。
　【００１２】
　転写装置２４は転写ローラ６８を有しており、用紙３６に電荷を付与し、感光ドラム５６に付着したトナーを用紙３６に転写する。転写後、用紙３６は除電器７０によって除電された後、ガイド７２により案内されて定着装置２６に送られる。定着装置２６は、加熱ローラ７４および押さえローラ７６を有しており、加熱により画像が定着させられた用紙３６は、一対ずつのガイド７８および送りローラ８０により、可動ハウジング１６の上部に設けられた一対の排紙ローラ８２に送られ、可動ハウジング１６上に設けられた排紙トレイ３４に排出される。
　【００１３】
　次に、現像装置３０，現像供給装置３１およびクリーニング装置３２について詳細に説明する。図１（ａ）に示すように、現像装置３０および現像剤供給装置３１のケーシング９０は一体的に設けられており、感光ドラム５６の回転軸線に平行に延びるボックス状のトナー収容部９２と、トナー収容部９２から感光ドラム５６とは反対側に延び出させられたコの字形断面のカートリッジ取付け部９４とを有し、可動ハウジング１６に固定されている。
　【００１４】
　トナー収容部９２の感光ドラム５６に隣接する前壁９５には、感光ドラム５６の回転軸線に平行に延びる開口９６が形成されるとともに、現像ローラ９８が取り付けられている。現像ローラ９８は、可動ハウジング１６に固定されたマグネットローラの表面に非磁性のスリーブが回転可能に取り付けられて成り、その表面にキャリヤによって磁気ブラシが形成され、トナーを搬送する。また、開口９６にはブレード１００が取り付けられ、磁気ブラシの高さを規制するようにされている。現像ローラ９８およびブレード１００が現像装置３０を構成しているのである。
　【００１５】
　トナー収容部９２のカートリッジ取付け部９４側の背壁１０２には、トナー収容部９２の長手方向に延びる矩形断面の凹部１０４が形成されるとともに、凹部１０４の底壁部には断面が半円環状を成し、トナー収容部９２の長手方向に延びる支持壁１０６が前壁９５側に凸に設けられている。この支持壁１０６の周方向の縁部には、トナー収容部９２の長手方向に延びるケーシング側開口１０８が形成されるととともに、支持壁１０６のケーシング側開口１０８に対して背壁１０２とは反対側の位置に、仕切り壁１１０が現像ローラ９８に向かって延び出す向きに突設されている。
　【００１６】
　トナー収容部９２の前壁９５，天壁１１４，支持壁１０６および仕切り壁１１０により囲まれた空間内には、保持部材１１６が軸１１８によりトナー収容部９２の長手方向に平行な軸線まわりに回動可能に取り付けられている。保持部材１１６は軸１１８から延び出す一対の板状部１２０，１２２を有し、一方の板状部１２０の支持壁１０６と対向する側の面は、支持壁１０６の外周面と同じ曲率半径の部分円筒面とされ、他方の板状部１２２は平板状をなしている。
　【００１７】
　天壁１１４および前壁９５にわたる内側面１２４は、軸１１８の軸心を中心とする部分円筒面とされており、板状部１２０，１２２の先端面は内側面１２４に近接させられている。保持部材１１６は、本電子写真式記録装置の使用が開始されるまでは、板状部１２０が支持壁１０６に当接した位置にあり、板状部１２０，１２２，天壁１１４および前壁９５により囲まれた空間内には、イニシャルトナー１２６がまぶされたキャリヤが収容されている。
　【００１８】
　また、軸１１８は、図２に示すようにトナー収容部９２の側壁１２７から突出させられるとともに、その突出端にレバー１２８がカートリッジ取付け部９４側に延び出す向きに取り付けられている。トナー収容部９２内にはまた、支持壁１０６の下方の空間に撹拌部材１３０が回転可能に取り付けられ、トナーを撹拌するようにされている。
　【００１９】
　支持壁１０６には、半円筒状を成す遮蔽部材としてのケーシング側回転部材１３２が回転可能に嵌合されている。支持壁１０６のケーシング側回転部材１３２の長手方向の両端の各端面を支持する面には、図４および図５に示すようにフェルト等により作られた摩擦力発生手段としての摩擦部材１３３が取り付けられ、ケーシング側回転部材１３２の端面との間に摩擦力が生ずるようにされている。なお、摩擦力発生手段はケーシング側回転部材１３２に取り付けてもよい。
　【００２０】
　また、ケーシング側回転部材１３２の長手方向の両端面にはそれぞれ、図５に示すように、軸１３４，１３６が同心に突設され、ケーシング９０によって回転可能に支持されている。軸１３４は側壁１２７から突出させられるとともに、その突出端に円板状のつまみ１４０が取り付けられており、つまみ１４０を回すことによりケーシング側回転部材１３２を、図１（ａ）に示すようにケーシング側開口１０８を閉じる閉位置と、図１（ｂ）に示すようにケーシング側開口１０８を開く開位置とに回転させることができる。閉位置においては、ケーシング側回転部材１３２の平坦な側面１４１がケーシング９０の外面を構成する。
　【００２１】
　このつまみ１４０には、図２に示すようにフック１４２が形成されている。つまみ１４０には、軸１３４と同一平面内に位置し、カートリッジ取付け部９４の天壁１４４と平行に延び、つまみ１４０の外周面に開口する半径方向切欠１４６が形成されるとともに、半径方向切欠１４６から、ケーシング側回転部材１３２の閉位置から開位置への回転方向とは逆向きに延びる周方向切欠１４８が形成されている。周方向切欠１４８は、ケーシング側回転部材１３２の回転軸線を中心とする部分円環状を成し、これら切欠１４６，１４８の形成により部分円環状のフック１４２が形成されているのである。
　【００２２】
　また、ケーシング側回転部材１３２のつまみ１４０が取り付けられた側の端面には、図２に示すように突起１５０が回転軸線と平行な方向に突設され、側壁１２７に形成された長穴１５２から外部に突出させられている。突起１５０は、前記保持部材１１６の軸１１８に取り付けられたレバー１２８に対して、ケーシング側回転部材１３２の閉位置から開位置への回転方向において上流側に位置するようにされており、また、長穴１５２はケーシング側回転部材１３２の回転軸線を中心とする部分円環状を成し、ケーシング側回転部材１３２が閉位置にある状態で、長穴１５２の上記回転方向における上流側端部に突起１５０が係合する。
　【００２３】
　また、カートリッジ取付け部９４の側壁１５４には、図２に示すように、軸１３４と同一平面内に位置するとともに天壁１４４に平行に延び、トナー収容部９２とは反対側の端面に開口する切欠１５６が形成されている。
　【００２４】
　ケーシング９０のカートリッジ取付け部９４には、図１（ａ）および図３に示すようにトナーカートリッジ１６０が取り付けられる。トナーカートリッジ１６０の本体１６２は、図３に示すように長手形状の容器状であり、その内部には図１（ａ）に示すように仕切り壁１６４が設けられ、未使用トナー収容室１６６と、廃トナー収容室１６８とが形成されている。未使用トナー収容室１６６内には現像剤としての未使用のトナー１７２が収容され、回転可能に設けられた撹拌部材１７０によって撹拌されるようになっている。また、廃トナー収容室１６８内には、転写後、感光ドラム５６から掻き落とされた廃トナー１７３が収容される。
　【００２５】
　本体１６２のケーシング９０側の前壁１７４の未使用トナー収容室１６６を画定する部分には、トナー収容部９２の凹部１０４に嵌合する矩形断面の凸部１７６が突設されるとともに、図３に示すように、前記ケーシング側回転部材１３２に設けられた一対の軸１３４，１３６を支持する半円筒面状の軸受１７８，１７９が形成されている。また、凸部１７６には、半円環状を成し、前記支持壁１０６と同径の支持壁１８０が未使用トナー収容室１６６側に凸に形成されている。
　【００２６】
　支持壁１８０には、長手方向に延びるカートリッジ側開口１８２が形成されるとともに、蓋体としての半円筒状のカートリッジ側回転部材１８４が回転可能に嵌合されており、カートリッジ側回転部材１８４はカートリッジ側開口１８２を閉じる閉位置と、開く開位置とに回転させられる。トナーカートリッジ１６０がケーシング９０から取り外されたときにはカートリッジ側開口１８２は閉じられており、カートリッジ側回転部材１８４の平坦な側面１８５がトナーカートリッジ１６０の外面となる。支持壁１８０のカートリッジ側回転部材１８４の長手方向の両端面をそれぞれ支持する面には、図７に示すようにフェルト等により作られた摩擦力発生手段としての摩擦部材１８７が取り付けられ、カートリッジ側回転部材１８４の上記両端面との間に摩擦力が発生するようにされている。なお、摩擦力発生手段はカートリッジ側回転部材１８４に取り付けてもよい。
　【００２７】
　カートリッジ側回転部材１８４は、前記ケーシング側回転部材１３２と同じ半径を有し、図６に示すように、その長手方向の両端部にそれぞれ形成された部分円環状のリブ１８６が、図７に示すように本体１６２に形成された一対の部分円環状溝１８８に嵌合されることにより、回転を許容されるとともに支持壁１８０からの離間を防止されている。カートリッジ側回転部材１８４の半円筒壁１９０には、その長手方向に平行に延びる一対の開口１９２，１９４が形成されており、カートリッジ側回転部材１８４内には、開口１９２から１９４に至る通路１９６が形成されている。
　【００２８】
　また、本体１６２の外側面には、その前側部分（凸部１７６が設けられた側の部分）に突起２００が設けられるとともに、突起２００より後側部分に前後方向に延びるガイドレール２０２が設けられている。
　【００２９】
　次に、クリーニング装置３２について説明する。クリーニング装置３２は、図１（ａ）に示すように、ケーシング２１０と、ケーシング２１０の感光ドラム５６側に形成された開口２１２と、開口２１２に取り付けられて感光ドラム５６に付着したトナーを掻き取る掻取り板２１４とを有している。掻取り板２１４によって掻き取られたトナーは、ケーシング２１０内に設けられた第一オーガ２１６によってケーシング２１０の一端に搬送される。第一オーガ２１６は、ケーシング２１０によって回転可能に支持された軸２１８にブレード２２０が螺旋状に取り付けられたものである。
　【００３０】
　図３に示すように、クリーニング装置３２の長手方向の一端部に隣接して廃トナー搬送装置２２６が設けられている。廃トナー搬送装置２２６のケーシング２２８はケーシング９０と一体的に設けられ、クリーニング装置３２のケーシング２１０の下側から上方に傾斜して設けられている。ケーシング２２８内には、第８図（ａ）に示すように第二オーガ２３０が設けられ、廃トナー１７３を下から上へ搬送するようにされている。また、ケーシング２２８の上端部には、矩形断面の凹部２３４と、その凹部２３４に開口する半円形断面の凹部２３６と、凹部２３６とケーシング２２８内の空間とを連通させる廃トナー搬送通路２３８とが形成されている。
　【００３１】
　凹部２３６には、廃トナー搬送側回転部材２４０が回転可能に嵌合されている。廃トナー搬送側回転部材２４０は半円筒状を成し、図５に示すように、その両端面に突設された軸２４１，２４２においてケーシング２２８により回転可能に支持されている。この廃トナー搬送側回転部材２４０には、図９に示すように前記ケーシング側回転部材１３２の回転が第一，第二歯車２４４，２４６によって伝達される。図５に示すように、ケーシング側回転部材１３２のつまみ１４０が取り付けられた側とは反対側の軸１３６には、第一歯車２４４が取り付けられるとともに、廃トナー搬送側回転部材２４０に取り付けられた第二歯車２４６に噛み合わされているのであり、ケーシング側回転部材１３２が回転させられるとき、廃トナー搬送側回転部材２４０は同時に逆方向に回転させられ、廃トナー搬送通路２３８を閉じる閉位置と開く開位置とに移動させられる。閉位置においては、廃トナー搬送側回転部材２４０の平坦な側面２４８が外面を構成する。
　【００３２】
　前記トナーカートリッジ１６０の本体１６２の前壁１７４の廃トナー収容室１６６を画定する部分には、図８（ａ）に示すように、矩形断面の凸部２５０が突設されるとともに、図３に示すように、前記廃トナー搬送側回転部材２４０の軸２４１，２４２の一部を支持する半円筒面状の軸受２５３，２５４が形成されている。
　【００３３】
　凸部２５０にはまた、図８（ａ）に示すように、半円環状の支持壁２５２が廃トナー収容室１６８側に凸に形成されている。この支持壁２５２には、廃トナー収容室１６８を外部に開口させる廃トナー収容室側開口２５６が形成され、支持壁２５２には半円筒状の廃トナー収容室側回転部材２５８が回転可能に嵌合されており、廃トナー収容室側開口２５６を閉じる閉位置と開く開位置とに移動させられる。廃トナー収容室側回転部材２５８は廃トナー搬送側回転部材２４０と同じ半径を有するものであり、一対の開口２６２，２６４が形成されるとともに、廃トナー収容室回転部材２５８内には、一方の開口２６２から他方の開口２６４に至る通路２６６が形成されている。また、廃トナー収容室側回転部材２５８の平坦な側面２６８が、トナーカートリッジ１６０をケーシング９０から取り外したときに外面となる。
　【００３４】
　次に作動を説明する。以上のように構成された電子写真式記録装置においてトナーカートリッジ１６０は、装置の出荷時にはケーシング９０に取り付けられておらず、本装置の使用開始時に取り付けられる。そのため、カートリッジ取付け前には、図１（ａ）および図８（ａ）に示すように、ケーシング側回転部材１３２および廃トナー搬送側回転部材２４０は閉位置にあり、保持部材１１６はイニシャルトナー１２６を供給しない位置にあり、カートリッジ側回転部材１８４および廃トナー収容室側回転部材２５８も閉位置にある。これらは、その長手方向の両端面に摩擦部材１３３，１８７によって生じさせられる摩擦力によって閉位置に保たれている。
　【００３５】
　トナーカートリッジ１６０をケーシング９０に取り付ける場合には、図１０に矢印Ａで示す方向に可動ハウジング１６を開いた状態でトナーカートリッジ１６０の側面に形成されたガイドレール２０２をケーシング９０の切欠１５６に係合させつつ、凸部１７６，２５０をそれぞれ、ケーシング９０，２２８の凹部１０４，２３４に嵌合する。これらが嵌合された状態では、図１（ａ）および図８（ａ）に示すように、ケーシング側回転部材１３２の側面１４１とカートリッジ側回転部材１８４の側面１８５とが互に密着させられるとともに、廃トナー搬送側回転部材２４０の側面２４８と廃トナー収容室側回転部材２５８の側面２６８とが互に密着させられた状態となる。また、図１１（ａ）に示すように、突起２００が半径方向切欠１４６に嵌入させられる。
　【００３６】
　そのため、つまみ１４０を図１１（ａ）において反時計方向にまわせば、ケーシング側回転部材１３２が回転させられるのに伴ってカートリッジ側回転部材１８４が同方向に回転させられ、図１（ｂ）に示すように、カートリッジ側開口１８２とケーシング側開口１０８とがそれぞれ開かれるとともに、カートリッジ側回転部材１８４内に形成された通路１９６により連通させられ、未使用トナー収容室１６６からケーシング９０にトナー１７２が供給される状態となる。
　【００３７】
　また、ケーシング側回転部材１３２の回転に伴って突起１５０が移動させられることにより、レバー１２８が突起１５０により押されて回動させられ、保持部材１１６が回動させられてイニシャルトナー１２６が現像ローラ９８上に落とされる。さらに、ケーシング側回転部材１３２の回転が第一，第二歯車２４４，２４６により廃トナー搬送側回転部材２４０に伝達され、廃トナー搬送側回転部材２４０が回転させられるとともに廃トナー収容室側回転部材２５８が回転させられ、図８（ｂ）に示すように、廃トナー収容室側開口２５６とトナー搬送通路２３８とが、廃トナー収容側回転部材２５８内に形成された通路２６６によって連通させられ、廃トナーが廃トナー収容室１６８に流入する状態となる。
　【００３８】
　さらに、つまみ１４０の回転により、図１１（ｂ）に示すように突起２００が周方向切欠１４８内を相対移動し、フック１４２に係合してトナーカートリッジ１６０の取付け方向におけるケーシング９０からの脱落が防止される。
　【００３９】
　つまみ１４０の操作により、未使用トナー収容室１６６とケーシング９０との連通，イニシャルトナー１２６の供給，廃トナー搬送通路２３８と廃トナー収容室１６８との連通およびトナーカートリッジ１６０のロックが同時に行われるのであり、ケーシング側回転部材１３２に突設された突起１５０，長穴１５２および保持部材１１６に設けられたレバー１２８が、未使用トナー収容室１６６とケーシング９０との連通にイニシャルトナー１２６の供給を連動させるイニシャルトナー供給用連動装置を構成し、第一，第二歯車２４４，２４６が、廃トナー搬送通路２３８と廃トナー収容室１６８との連通を連動させる廃トナー用連動装置を構成し、フック１４２および突起２００がトナーカートリッジ１６０のロックを連動させるカートリッジロック連動装置を構成しているのである。
　【００４０】
　このようにトナーカートリッジ１６０が取り付けられれば、トナー１７２がケーシング９０に供給され、現像が行われる。そして、用紙３６に転写されずに感光ドラム５６上に残った廃トナー１７３は掻取り板２１４によって掻き落とされ、第一オーガ２１６により廃トナー搬送装置２２６側へ搬送されてケーシング２２８内に落とされ、第二オーガ２３０によって搬送される。そして、廃トナー搬送通路２３８，通路２６６および廃トナー収容室側開口２５６を経て廃トナー収容室１６８に収容される。
　【００４１】
　トナーカートリッジ１６０の未使用トナー収容室１６６内のトナー１７２がなくなってトナーカートリッジ１６０を交換する場合等、トナーカートリッジ１６０をケーシング９０から取り外す場合には、つまみ１４０を図１１（ｂ）において時計方向に回す。それによりケーシング側回転部材１３２が回転させられるとともにカートリッジ側回転部材１８４が回転させられ、図１（ａ）に示すように、ケーシング側開口１０８およびカートリッジ側開口１８２が閉じられる。また、同時に廃トナー搬送側回転部材２４０および廃トナー収容室側回転部材２５８が回転させられ、廃トナー搬送通路２３８および廃トナー収容室側開口２５６が閉じられる。
　【００４２】
　さらに、突起２００がフック１４２から外れてトナーカートリッジ１６０のロックが解除されるため、トナーカートリッジ１６０をケーシング９０から引き出してケーシング９０から取り外すことができる。
　【００４３】
　なお、保持部材１１６は、一旦、イニシャルトナー１２６を供給すべく回動させられた後は回動させられず、図１（ｂ）の位置に保たれる。記録時にキャリヤは殆ど消費されず、イニシャルトナー１２６は電子写真式記録装置の使用開始時に供給すればよいからである。
　【００４４】
　このように本実施例の現像剤供給装置３１においては、トナーカートリッジ１６０のケーシング９０への着脱時に、カートリッジ側回転部材１８４のトナーカートリッジ１６０をケーシング９０から取り外したときに外面となる側面１８５がケーシング側回転部材１３２の側面１４１に密着させられ、その状態でケーシング側回転部材１３２がつまみ１４０の操作により回転させられて、ケーシング側開口１０８およびカートリッジ側開口１８２が開口させられるとともに、開口された状態では密着した状態に保たれるため、側面１８５，１４１にトナー１７２が付着することはなく、作業者の手や用紙３６等を汚すことがない。
　【００４５】
　また、廃トナー収容室１６８の廃トナー収容室側開口２５６，廃トナー搬送装置２２６の廃トナー搬送通路２３８の開閉も同様に、半円筒状の回転部材２４０，２５８の側面２４８，２６８を互に密着させた状態で行われ、廃トナー収容時にも密着した状態に保たれるため、廃トナー１７３が飛散して作業者の手や用紙３６等を汚すことがない。
　【００４６】
　さらに、ケーシング側回転部材１３２およびカートリッジ側回転部材１８４がそれぞれ半円筒状を成し、互に密着させられて円筒状を成すため、ケーシング側回転部材１３２を回転させることによりカートリッジ側回転部材１８４を回転させることができるのであり、カートリッジ側回転部材１８４に回転操作装置を設ける必要がなく、トナーカートリッジ１６０を簡易にかつ安価に構成することができる。
　【００４７】
　また、ケーシング９０の凹部１０４とトナーカートリッジ１６０の凸部１７６とは、嵌合によりケーシング９０とトナーカートリッジ１６０とをカートリッジ取付け方向と直交する方向において位置決めする位置決め手段として機能し、それによりつまみ１４０を回すとき、トナーカートリッジ１６０とケーシング９０とが上記直交方向にずれることがなく、ケーシング側回転部材１３２とカートリッジ側回転部材１８４とが同心状に保たれ、スムーズに回転することができる。
　【００４８】
　廃トナー搬送側回転部材２４０および廃トナー収容室側回転部材２５８についても、凸部２５０と凹部２３４とが同様に位置決め手段として機能し、それらの嵌合により回転部材２４０，２５８が同心状に保たれ、スムーズに回転することができる。
　【００４９】
　さらに、凸部１７６の先端面と凸部２５０の先端面、ならびに開口を閉じた状態でのカートリッジ側回転部材１８４の側面１８５と廃トナー収容室側回転部材２５８の側面２６８が同一平面内に位置するとともに、トナーカートリッジ１６０の着脱方向とは直角とされているため、トナーカートリッジ１６０をケーシング９０に押し付けるだけでカートリッジ側回転部材１８４とケーシング側回転部材１３２および廃トナー収容室側回転部材２５８と廃トナー搬送側回転部材２４０をそれぞれ密着させることができ、容易に着脱を行うことができる。
　【００５０】
　また、トナーカートリッジ１６０には、未使用トナー収容室１６６と廃トナー収容室１６８とが設けられているため、トナーカートリッジ１６０を取り外せば、廃トナー収容室１６８も自動的に同時に取り外されることとなり、廃トナー１７３を捨て忘れることがない。
　【００５１】
　さらに、廃トナー収容室１６８がトナーカートリッジ１６０に一体的に設けられているため、別々に設ける場合に比較して設置スペースが少なくて済み、記録装置をコンパクトに構成することができる。
　【００５２】
　また、廃トナー収容室側開口２５６および廃トナー搬送通路２３８は、ケーシング側回転部材１３２の回転によってケーシング側開口１０８およびカートリッジ側開口１８２を開閉させるのと同時に開閉させられるため、開き忘れおよび閉じ忘れがなく、廃トナー１７３が確実に廃トナー収容室１６８に収容されるとともに、開口の閉じ忘れによる廃トナー１７３の飛散が生ずることがない。
　【００５３】
　なお、図１２に示すように、ケーシング側回転部材２７０と支持壁２７２とのいずれか一方およびカートリッジ側回転部材２７４と支持壁２７６とのいずれか一方にそれぞれゴム製のシール部材２７８，２８０を固着してもよく、このようにすれば、トナー１７２の漏れを確実に防止することができる。
　【００５４】
　また、図１〜図１１に示す実施例において遮蔽部材は、半円筒状の部材とされていたが、図１３に示すように平坦な板状部材２８２としてもよい。板状部材２８２は長手方向の両端から支持壁２８４と同心に延び出させられた図示しない一対の軸においてケーシング９０に支持されており、カートリッジ側回転部材１８４の側面１８５に密着させられてカートリッジ側回転部材１８４を共に回転させ、カートリッジ側開口１８２の開閉時ならびにトナー供給時にカートリッジ側回転部材１８４の外面にトナーが付着することを防止する。
　【００５５】
　また、図１４に示すように、前記ケーシング側回転部材１３２の平板状部を省略した円弧状断面のケーシング側回転部材２８８を遮蔽部材とすることも可能である。このケーシング側回転部材２８８によっても、カートリッジ側回転部材１８４の側面１８５をトナーから遮蔽することが可能である。
　【００５６】
　さらに、図１〜図１１に示した実施例においてケーシング側回転部材１３２を省略し、代わりにカートリッジ側回転部材１８４を回転させる専用の開閉装置を設けることも可能である。例えば、図１５に示すように、円形断面の棒材がロの字形に曲げられて成り、カートリッジ側回転部材１８４の長手方向に延びる開閉部材２９０の長手方向の両端部にそれぞれ軸２９２（図には一方の軸２９２のみが示されている）を突設するとともに、それら軸２９２をケーシング９０により回転可能に支持させて開閉装置２９４を構成し、一方の軸２９２を回すことにより、開閉部材２９０を回転させるとともにカートリッジ側回転部材１８４を押して回転させるのである。
　【００５７】
　この場合、開閉部材２９０を図において反時計方向に回転させることによりカートリッジ側回転部材１８４を開位置に移動させ、時計方向に回転させることによりカートリッジ側回転部材１８４を閉位置に移動させることができ、円弧状断面の支持壁２９６が遮蔽部材の役割を果たす。カートリッジ側回転部材１８４がケーシング側開口２９８を通過し、カートリッジ側開口１８２とケーシング側開口２９８とを連通させた状態では、カートリッジ側回転部材１８４の側面１８５は支持壁２９６によって覆われているからである。
　【００５８】
　さらにまた、上記各実施例において蓋体としてのカートリッジ側回転部材１８４は半円筒状を成し、その半円筒の中心を回転軸線として回転する回転部材とされていたため、同じく半円筒状のケーシング側回転部材１３２と当接させるのみでケーシング側回転部材１３２の正方向の回転も逆方向の回転もカートリッジ側回転部材１８４に伝達して、カートリッジ側回転部材１８４を開閉することができる特有の利点を有していたが、一軸線まわりに回動する回動部材とすることも可能である。
　【００５９】
　例えば、図１６に示すように、蓋体を扇形部材３００とするのである。トナーカートリッジ３０２の本体３０４には矩形断面のカートリッジ側開口３０６が形成され、扇形部材３００はこのカートリッジ側開口３０６に軸３０８によって回動可能に取り付けられており、本体３０４に形成された部分円筒面３１０に嵌合されてカートリッジ側開口３０６を閉じる。カートリッジ側開口が蓋体である扇形部材３００とは別に設けられているのである。
　【００６０】
　扇形部材３００の回転軸線方向に隔たった２個所にはそれぞれ、ケーシング３１２側に突出する一対ずつの突起３１４が突設されるとともに、それら突起３１４の間にはそれぞれ操作部材３１６の先端部が係合させられている。これら操作部材３１６はケーシング３１２によって回動可能に支持された共通の軸３１８に取り付けられており、開閉装置を構成している。
　【００６１】
　開口３０６を開く場合には、軸３１８を回転操作し、操作部材３１６を図において時計方向に回動させることにより扇形部材３００が二点鎖線で示すように回動させられる。ケーシング３１２には、扇形部材３００の外径に等しい内径を有する円弧状断面の支持壁３２２が設けられるとともに、ケーシング側開口３２４が形成されており、扇形部材３００は支持壁３２２の内周面に沿って回動させられ、カートリッジ側開口３０６とケーシング側開口３２４とを連通させる。扇形部材３００はケーシング側開口３２４の全部を通過し、カートリッジ側開口３０６とケーシング側開口３２４とを連通させるまで回動させられ、扇形部材３００のカートリッジ側開口３０６を閉じた状態で外側となる側面３２６はケーシング側開口３２２を通過しており、支持壁３２２によってトナーから遮蔽され、トナーが付着して汚れることは殆どない。
　【００６２】
　支持壁３２２が遮蔽部材を構成しているのであり、蓋体の外面に密着し、蓋体と共に移動する密着部材を遮蔽部材とする場合とは異なって非密着かつ位置固定の遮蔽部材であり、カートリッジ側開口３０６が開かれたときのみに側面３２６がトナーから遮蔽される。カートリッジ側開口３０６が閉じられるときにケーシング３１２内にトナーが残っていても、トナーは扇形部材３００により押され、カートリッジ側開口３０６からトナーカートリッジ３０２内に戻される。扇形部材３００の側面３２６の移動軌跡内にはトナーが存在しなくなるのであり、したがって、カートリッジ側開口３０６が閉じられる場合は勿論、開かれる場合でも、トナーが側面３２６に付着することは殆どない。
　【００６３】
　なお、上記実施例においてトナーカートリッジ１６０に凸部１７６が設けられ、ケーシング９０に凹部１０４が設けられて両者が位置決めされるようになっていたが、凹凸を逆にしてもよく、また、凹凸を回転部材１３２，１８４の長手方向に複数設けてもよい。
　【００６４】
　また、上記各実施例においては、つまみ１４０が作業者によって回されるようになっていたが、自動的に回されるようにしてもよい。例えば、前記可動ハウジング１６に、可動ハウジング１６を閉じるのに伴ってつまみ１４０に係合して回転させる係合部材を設け、つまみ１４０を自動的に回すようにするのである。
　【００６５】
　さらに、上記各実施例において蓋体はいずれも一軸線まわりに回転あるいは回動するものとされていたが、直線運動するものとしてもよい。この場合、遮蔽部材は蓋体の外面に密着して蓋体と共に直線運動するものとしてもよく、あるいは前記支持壁２９６，３２２のように位置固定に設けられ、カートリッジ側開口が開かれた状態で蓋体の外面を現像剤から遮蔽するものとしてもよい。
　【００６６】
　その他、特許請求の範囲を逸脱することなく、当業者の知識に基づいて種々の変形，改良を施した態様で本発明を実施することができる。
【図面の簡単な説明】
　【図１】
　本発明の一実施例である現像剤供給装置を備えた現像装置を示す正面断面図である。
　【図２】
　上記現像剤供給装置および現像装置の要部を示す斜視図である。
　【図３】
　上記現像剤供給装置および現像装置を示す斜視図である。
　【図４】
　上記現像剤供給装置のケーシングの一端部を示す平面断面図である。
　【図５】
　上記現像剤供給装置のケーシングを示す背面図である。
　【図６】
　上記現像供給装置のトナーカートリッジのカートリッジ側回転部材の一端部を示す斜視図である。
　【図７】
　上記トナーカートリッジを示す平面断面図である。
　【図８】
　上記トナーカートリッジおよび廃トナー搬送装置を示す正面断面図である。
　【図９】
　上記現像剤供給装置のケーシング側回転部材と上記廃トナー搬送装置の廃トナー搬送側回転部材との回転伝達機構を示す斜視図である。
　【図１０】
　上記現像剤供給装置および現像装置を備えた電子写真式記録装置を概略的に示す正面断面図である。
　【図１１】
　上記トナーカートリッジの上記ケーシングヘの取付けを説明する図である。
　【図１２】
　本発明の別の実施例である現像剤供給装置を備えた現像装置を示す正面断面図である。
　【図１３】
　本発明の更に別の実施例である現像剤供給装置の要部を示す正面断面図である。
　【図１４】
　本発明の更に別の実施例である現像剤供給装置の要部を示す正面断面図である。
　【図１５】
　本発明の更に別の実施例である現像剤供給装置の要部を示す正面断面図である。
　【図１６】
　本発明の更に別の実施例である現像剤供給装置の要部を示す正面断面図である。
　【符号の説明】
３１　現像剤供給装置
９０　ケーシング
１０８　ケーシング側開口
１３２　ケーシング側回転部材
１４１　側面
１６０　トナーカートリッジ
１６２　本体
１７２　トナー
１８２　カートリッジ側開口
１８４　カートリッジ側回転部材
１８５　側面
１９６　通路
２７０　ケーシング側回転部材
２７４　カートリッジ側回転部材
２８２　板状部材
２８８　ケーシング側回転部材
２９６　支持壁
２９８　ケーシング側開口
３００　扇形部材
３０２　トナーカートリッジ
３０４　本体
３０６　カートリッジ側開口
３１２　ケーシング
３２２　支持壁
３２４　ケーシング側開口
３２６　側面